(57)【要約】【課題】美観を向上させつつ、シートの貼り付けにかかる工数を低減する表示装置を提供する。【解決手段】表示装置１０は、表示パネル１２およびハウジング１４の表示面側に貼り付けられるシート１８と、ハウジング１４内に設けられたインターフェース端子へのアクセスを可能にするために、ハウジング１４の表示面側に形成された開口部１４ａ、１４ｂと、開口部１４ａ、１４ｂを覆う蓋部１６ａ、１６ｂと、を備える。表示パネル１２およびハウジング１４の表示面側は、表示パネル１２の長手方向に沿って、シート１８が貼り付けられる第１領域２０と、シート１８が貼り付けられない第２領域２２とに区分けされている。第１領域２０は、表示パネル１２とハウジング１４の一部とを含む領域である。この第２領域２２に、開口部１４ａ、１４ｂが設けられている。【選択図】図１
2019020634.tif 000002
【特許請求の範囲】
【請求項１】
長方形状の表示パネルと、前記表示パネルの外周部分および背面を覆うハウジングとを有する表示装置であって、
前記表示パネルおよび前記ハウジングの表示面側に貼り付けられるシートと、
前記ハウジング内に設けられたインターフェース端子へのアクセスを可能にするために、前記ハウジングの表示面側の形成された開口部と、
前記開口部を覆う蓋部と、
を備え、
前記表示パネルおよび前記ハウジングの表示面側は、前記表示パネルの長手方向または短手方向に沿って、前記シートが貼り付けられる第１領域と、前記シートが貼り付けられない第２領域とに区分けされ、
前記第１領域は、前記表示パネルと前記ハウジングの一部とを含む領域であり、
前記第２領域に、前記開口部が設けられている、表示装置。
【請求項２】
請求項１に記載の表示装置であって、
前記第１領域と前記第２領域との境界線に、前記開口部に取り付けられた前記蓋部の一辺が接するように、前記第１領域および前記第２領域が設定されている、表示装置。
【請求項３】
請求項１または２に記載の表示装置であって、
前記第１領域と前記第２領域との境界線は、直線状に延びている、表示装置。
【請求項４】
請求項１〜３のいずれか１項に記載の表示装置であって、
前記シートのうち、前記表示パネルに貼り付けられる領域は透明であり、前記ハウジングに貼り付けられる領域は前記ハウジングの色とは異なる色が着色されている、表示装置。
【請求項５】
請求項１〜４のいずれか１項に記載の表示装置であって、
前記シートの質感は、前記ハウジングの質感とは異なる、表示装置。
【発明の詳細な説明】
【技術分野】
【０００１】
本発明は、表示面側にシートが貼付された表示装置に関する。
【背景技術】
【０００２】
下記特許文献１には、前面に表示器およびボタンが設けられた電気装置の前面部の美観を向上させる前面部化粧機構が開示されている。簡単に説明すると、前面部化粧機構は、裏面のボタンに対向する領域に表示パターンが印刷された無色透明の第１シートと、表示器に対向する窓部を残して不透明印刷がなされ、一面が第１シートの裏面に接着され、他面が前面部に接着される有色半透明な第２シートとを備える。
【先行技術文献】
【特許文献】
【０００３】
【特許文献１】特開平２−６９８７号公報
【発明の概要】
【発明が解決しようとする課題】
【０００４】
しかしながら、上記した特許文献１では、第１シートの第２シートへの貼り合わせと、第２シートの前面部への貼り合わせとの計２回、貼り合わせを行わなければならず、工数がかかる。そのため、コストもかかる。
【０００５】
そこで、本発明は、美観を向上させつつ、シートの貼り付けにかかる工数を低減する表示装置を提供することを目的とする。
【課題を解決するための手段】
【０００６】
本発明の態様は、長方形状の表示パネルと、前記表示パネルの外周部分および背面を覆うハウジングとを有する表示装置であって、前記表示パネルおよび前記ハウジングの表示面側に貼り付けられるシートと、前記ハウジング内に設けられたインターフェース端子へのアクセスを可能にするために、前記ハウジングの表示面側の形成された開口部と、前記開口部を覆う蓋部と、を備え、前記表示パネルおよび前記ハウジングの表示面側は、前記表示パネルの長手方向または短手方向に沿って、前記シートが貼り付けられる第１領域と、前記シートが貼り付けられない第２領域とに区分けされ、前記第１領域は、前記表示パネルと前記ハウジングの一部とを含む領域であり、前記第２領域に、前記開口部が設けられている。
【発明の効果】
【０００７】
本発明によれば、表示装置の表示面側の美観が向上するとともに、シートの貼り付け工数が減り、コストが低廉になる。
【図面の簡単な説明】
【０００８】
【図１】第１の実施の形態の表示装置の正面図である。
【図２】第１の実施の形態の変形例１における表示装置の一例を示す正面図である。
【図３】第１の実施の形態の変形例２における表示装置の例（例１）を示す正面図である。
【図４】第１の実施の形態の変形例２における表示装置の例（例２）を示す正面図である。
【図５】第２の実施の形態の表示装置の正面図である。
【図６】第２の実施の形態の変形例１における表示装置の一例を示す正面図である。
【図７】第２の実施の形態の変形例２における表示装置の例（例１）を示す正面図である。
【図８】第２の実施の形態の変形例２における表示装置の例（例２）を示す正面図である。
【発明を実施するための形態】
【０００９】
本発明に係る表示装置について、好適な実施の形態を掲げ、添付の図面を参照しながら以下、詳細に説明する。
【００１０】
［第１の実施の形態］
図１は、第１の実施の形態の表示装置１０の正面図である。表示装置１０は、長方形状の表示パネル（液晶パネル、有機ＥＬパネル等）１２と、表示パネル１２の外周部分および背面を覆うハウジング１４とを有する。本第１の実施の形態は、図１に示した左右方向、上下方向の矢印にしたがって、左右、上下を説明する。したがって、左右方向が表示パネル１２の長手方向となり、上下方向が表示パネル１２の短手方向となる。
【００１１】
表示パネル１２は、画像等を表示する。表示パネル１２の表示面には、タッチパネル（図示しない）が設けられている。
【００１２】
ハウジング１４内には、インターフェース端子であるＳＤ端子およびＵＳＢ端子（図示略）が設けられており、ＳＤ端子およびＵＳＢ端子へのオペレータによるアクセスを可能にすべく、ハウジング１４の表示装置１０の表示面側には開口部１４ａ、１４ｂが形成されている。この開口部１４ａ、１４ｂには、開口部１４ａ、１４ｂを覆う蓋部１６ａ、１６ｂが着脱可能に取り付けられている。開口部１４ａにＳＤ端子が設けられ、開口部１４ｂにＵＳＢ端子が設けられている。したがって、蓋部１６ａ、１６ｂを開口部１４ａ、１４ｂから取り外すことで開口部１４ａ、１４ｂが露出する。これにより、開口部１４ａ、１４ｂに設けられたＳＤ端子、ＵＳＢ端子にオペレータ（ユーザ）はアクセスすることができる。なお、以下説明を簡単にするため、開口部１４ａ、１４ｂに取り付けられた蓋部１６ａ、１６ｂを、単に蓋部１６ａ、１６ｂと呼ぶ。
【００１３】
図１に示す例では、開口部１４ａ、１４ｂおよび蓋部１６ａ、１６ｂは、表示装置１０の長手方向の一端部側（左端部側）、つまり、表示パネル１２の左側部分のハウジング１４に設けられている。また、図１に示す例では、開口部１４ａ、１４ｂおよび蓋部１６ａ、１６ｂを、ハウジング１４の短手方向（上下方向）の下側部分に配置したが、中央部分または上側部分に配置してもよい。開口部１４ａおよび蓋部１６ａは、開口部１４ｂおよび蓋部１６ｂより上側に設けられている。
【００１４】
表示装置１０の表示面側（表示パネル１２およびハウジング１４の表示面側）には、蓋部１６ａ、１６ｂを避けるようにシート１８が貼り付けられている。便宜的に、このシート１８が貼り付けられる領域を第１領域２０と呼び、シート１８が貼り付けられない領域を第２領域２２と呼ぶ。図１では、第１領域２０のうち、ハウジング１４の領域を斜線で示している。つまり、シート１８のうち、ハウジング１４に貼り付けられる領域を斜線で示している。
【００１５】
第１領域２０は、表示パネル１２とハウジング１４の一部とを含む領域であり、第２領域２２に、開口部１４ａ、１４ｂおよび蓋部１６ａ、１６ｂが設けられている。第２領域２２は、表示パネル１２より左側部分のハウジング１４の少なくとも一部を含む領域である。この第１領域２０と第２領域２２は、表示パネル１２の長手方向に沿って、表示装置１０の表示面側を２つの領域に区分けしている。したがって、第２領域２２は、表示装置１０（ハウジング１４）の上下方向の全範囲を含む領域となり、第１領域２０は、表示装置１０（表示パネル１２およびハウジング１４）の上下方向の全範囲を含む領域となる。第１領域２０は、表示パネル１２と、表示パネル１２より右側部分、上側部分、および、下側部分のハウジング１４を少なくとも含む領域である。
【００１６】
本第１の実施の形態では、シート１８は、四角形状を有するので、第１領域２０と第２領域２２との境界線２４は、上下方向（表示パネル１２の短手方向）に沿って直線状に延びる。この境界線２４は、表示パネル１２より左側に位置する。境界線２４を境にして、左側が第２領域２２、右側が第１領域２０となり、第１領域２０および第２領域２２は、ともに四角形状（具体的には、長方形状）となる。
【００１７】
なお、境界線２４は、表示パネル１２の左端上に位置していてもよい。つまり、境界線２４は、表示パネル１２と表示パネル１２の左側にあるハウジング１４との境界線（上下方向に延びる境界線）上にあってもよい。
【００１８】
本第１の実施の形態では、蓋部１６ａ、１６ｂの一辺（蓋部１６ａ、１６ｂの右側の一辺）が境界線２４と接するように、第１領域２０および第２領域２２が設定されている。これにより、第２領域２２の幅方向（左右方向）の長さを短くすることができる。
【００１９】
このように、シート１８は、開口部１４ａ、１４ｂおよび蓋部１６ａ、１６ｂが設けられる第２領域２２には貼り付けられないので、シート１８の表示装置１０への貼り付け作業が簡単になり、貼り付けの工数が減る。したがって、コストが低廉になる。また、表示装置１０の表示面側（表示パネル１２およびハウジング１４の表示面側）は、表示パネル１２の長手方向に沿って、シート１８が貼り付けられる第１領域２０と、シート１８が貼り付けられない第２領域２２とに区分けされているので、美観が向上する。
【００２０】
シート１８の表示パネル１２に対応する領域（表示パネル１２に貼り付けられる領域）は透明であり、シート１８のハウジング１４に対応する領域（ハウジング１４に貼り付けられる領域）は不透明な塗料が塗られて着色されている。つまり、図１において、斜線で表された領域が着色された領域である。このシート１８は、ハウジング１４を構成する材質とは異なる材質で製造されているため、シート１８の質感は、ハウジング１４の質感と異なる。また、ハウジング１４および蓋部１６ａ、１６ｂは、同一の材料で成形されているため、同一の色、質感を有する。シート１８に着色された色は、ハウジング１４の色とは異なる。したがって、シート１８を第１領域２０に貼り付けることで、境界線２４を境に色が変わるため、表示装置１０の表示面側は、ツートンカラーのような外観になっている。これにより、表示装置１０の表示面側の美観がさらに向上する。
【００２１】
ここで、従来においては、表示装置１０の表示面側に貼り付けるシートのうち、蓋部１６ａ、１６ｂに対応する領域を避けるように、その部分だけをくり抜いていた。これにより、蓋部１６ａ、１６ｂの領域だけ、色や質感等が異なり、美観が劣化する。そのため、蓋部１６ａ、１６ｂにもシートを貼り付けて、蓋部１６ａ、１６ｂ以外の領域と色や質感を合わせる必要がある。これにより、美観は向上するが、工数、コストがかかる。
【００２２】
しかしながら、本第１の実施の形態では、表示パネル１２の長手方向に沿って、表示装置１０の表示面側をシート１８が貼り付けられる第１領域２０（表示パネル１２を含む領域）とシート１８が貼り付けられない第２領域２２とに区分けした。そして、表示パネル１２の短手方向に関して、開口部１４ａ、１４ｂおよび蓋部１６ａ、１６ｂが設けられる第２領域２２を、ハウジング１４の全範囲を含む領域とした。これにより、表示装置１０の表示面側の美観が向上するとともに、シート１８の貼り付け工数が減り、コストが低廉になる。
【００２３】
［第１の実施の形態の変形例］
上記第１の実施の形態は、以下のように変形可能である。なお、上記第１の実施の形態と同様の構成要素については同一の符号を付し、異なる部分だけを説明する。
【００２４】
＜変形例１＞
変形例１では、蓋部１６ａ、１６ｂが境界線２４と接しないように、第１領域２０および第２領域２２が設定されている。
【００２５】
図２は、第１の実施の形態の変形例１における表示装置１０の一例を示す正面図である。図２を見るとわかるように、蓋部１６ａ、１６ｂは、上下方向に沿って直線状に延びる境界線２４と所定の間隔をあけて、境界線２４の左側に位置している。
【００２６】
このように、蓋部１６ａ、１６ｂが境界線２４と接しなくても、表示装置１０の表示面側の美観が向上するとともに、シート１８の貼り付け工数が減り、コストが低廉になる。
【００２７】
＜変形例２＞
変形例２では、境界線２４が、曲線からなる線、複数の直線からなる線、曲線と直線との組み合わせからなる線となるように、第１領域２０および第２領域２２が設定されている。
【００２８】
図３は、第１の実施の形態の変形例２における表示装置１０の例（例１）を示す正面図である。図３に示すように、開口部１４ａ、１４ｂおよび蓋部１６ａ、１６ｂは、表示パネル１２の左側部分のハウジング１４であって、短手方向（上下方向）の中央部分に配置されている。そして、境界線２４は、蓋部１６ａ、１６ｂの一辺（蓋部１６ａ、１６ｂの右側の一辺）と接するように上下方向に延びた線３０ａと、線３０ａの上端から表示パネル１２と反対側の方向（左方向）に向かって斜め上方に延びた線３０ｂと、線３０ａの下端から表示パネル１２と反対側の方向（左方向）に向かって斜め下方に延びた線３０ｃとから構成される。これにより、第１領域２０および第２領域２２の形状も変わり、シート１８の形状も変わる。
【００２９】
なお、図３に示す例では、境界線２４の線３０ａは、蓋部１６ａ、１６ｂの一辺と接するようにしたが、変形例１のように、蓋部１６ａ、１６ｂは線３０ａと接しなくてもよい。また、図３に示す例では、開口部１４ａ、１４ｂおよび蓋部１６ａ、１６ｂを、表示装置１０の短手方向の中央部分に配置したが、上側部分に配置してもよく、下側部分に配置してもよい。この場合も、蓋部１６ａ、１６ｂの配置位置に応じて、境界線２４の形状を任意に変えてもよい。
【００３０】
図４は、第１の実施の形態の変形例２における表示装置１０の例（例２）を示す正面図である。図４に示すように、境界線２４は、蓋部１６ａ、１６ｂの一辺（蓋部１６ａ、１６ｂの右側の一辺）と接するように上下方向に延びた線３２ａと、線３２ａの上端から蓋部１６ａの上側の一辺の一部と接するように左方向に延びた線３２ｂと、線３２ｂの左端から上方向に延びた線３２ｃとから構成される。これにより、第１領域２０および第２領域２２の形状も変わり、シート１８の形状も変わる。
【００３１】
なお、図４に示す例では、開口部１４ａ、１４ｂおよび蓋部１６ａ、１６ｂを、表示装置１０の短手方向の下側部分に配置したが、中央部分に配置してもよく、上側部分に配置してもよい。この場合も、蓋部１６ａ、１６ｂの配置位置に応じて、境界線２４の形状を任意に変えてもよい。
【００３２】
このように、第１領域２０と第２領域２２とが表示パネル１２の長手方向に沿って区分けされ、且つ、第２領域２２は、表示パネル１２の短手方向に関して、ハウジング１４の全範囲を含む領域であればよい。変形例２においても、表示装置１０の表示面側の美観が向上するとともに、シート１８の貼り付け工数が減り、コストが低廉になる。
【００３３】
なお、境界線２４を、曲線からなる線、曲線と直線との組み合わせからなる線にする場合についても同様にして行うことができる。
【００３４】
＜変形例３＞
上記第１の実施の形態および変形例１、２では、開口部１４ａ、１４ｂおよび蓋部１６ａ、１６ｂを、表示装置１０の長手方向の左端部側（つまり、表示パネル１２の左側部分のハウジング１４）に設けたが、表示装置１０の長手方向の右端部側（つまり、表示パネル１２の右側部分のハウジング１４）に設けてもよい。
【００３５】
［第２の実施の形態］
図５は、第２の実施の形態の表示装置１０の正面図である。第２の実施の形態は、表示装置１０の表示面側を、表示パネル１２の短手方向に沿って第１領域２０と第２領域２２とに区分けした点で、上記第１の実施の形態と異なる。なお、上記第１の実施の形態と同様の構成要素については同一の符号を付し、異なる部分だけを説明する。なお、図５においても、第１領域２０のうち、ハウジング１４の領域を斜線で示している。つまり、シート１８のうち、ハウジング１４に貼り付けられる領域を斜線で示している。
【００３６】
図５に示す例では、開口部１４ａ、１４ｂおよび蓋部１６ａ、１６ｂは、表示装置１０の短手方向の一端部側（下端部側）、つまり、表示パネル１２の下側部分のハウジング１４に設けられている。また、図５に示す例では、開口部１４ａ、１４ｂおよび蓋部１６ａ、１６ｂを、ハウジング１４の長手方向の右側部分に配置したが、中央部分または左側部分に配置してもよい。開口部１４ａおよび蓋部１６ａは、開口部１４ｂおよび蓋部１６ｂより左側に設けられている。
【００３７】
そして、第２領域２２は、表示パネル１２より下側部分のハウジング１４の少なくとも一部を含む領域であり、表示装置１０（ハウジング１４）の左右方向の全範囲を含む領域である。第２領域２２に開口部１４ａ、１４ｂおよび蓋部１６ａ、１６ｂが設けられている。第１領域２０は、表示パネル１２と、表示パネル１２より左側部分、上側部分、および、右側部分を少なくとも含む領域である。
【００３８】
本第２の実施の形態においても、シート１８は、四角形状を有するので、第１領域２０と第２領域２２との境界線２４は、左右方向（表示パネル１２の長手方向）に沿って直線状に延びる。この境界線２４は、表示パネル１２の下側に位置する。境界線２４を境にして、下側が第２領域２２、上側が第１領域２０となり、第１領域２０および第２領域２２は、ともに四角形状（具体的には、長方形状）となる。
【００３９】
なお、境界線２４は、表示パネル１２の下端上に位置していてもよい。つまり、境界線２４は、表示パネル１２と表示パネル１２の下側にあるハウジング１４との境界線（左右方向に延びる境界線）上にあってもよい。
【００４０】
本第２の実施の形態においても、蓋部１６ａ、１６ｂの一辺（蓋部１６ａ、１６ｂの上側の一辺）が境界線２４と接するように、第１領域２０および第２領域２２が設定されている。これにより、第２領域２２の幅方向の長さ（表示パネル１２の短手方向の長さ）を短くすることができる。
【００４１】
なお、表示装置１０の表示面側に貼り付けられるシート１８の表示パネル１２に対応する領域は透明であり、シート１８のハウジング１４に対応する領域は不透明な塗料が塗られて着色されている。また、シート１８の質感は、ハウジング１４の質感とは異なり、シート１８に着色された色は、ハウジング１４の色とは異なる。
【００４２】
このように、本第２の実施の形態においても、表示装置１０の表示面側の美観が向上するとともに、シート１８の貼り付け工数が減り、コストが低廉になる。
【００４３】
［第２の実施の形態の変形例］
上記第２の実施の形態は、以下のように変形可能である。なお、上記各実施の形態と同様の構成要素については同一の符号を付し、異なる部分だけを説明する。
【００４４】
＜変形例１＞
変形例１では、蓋部１６ａ、１６ｂが境界線２４と接しないように、第１領域２０および第２領域２２が設定されている。
【００４５】
図６は、第２の実施の形態の変形例１における表示装置１０の一例を示す正面図である。図６を見るとわかるように、蓋部１６ａ、１６ｂは、左右方向に沿って直線状に延びる境界線２４と所定の間隔をあけて、境界線２４の下側に位置している。
【００４６】
このように、蓋部１６ａ、１６ｂが境界線２４と接しなくても、表示装置１０の表示面側の美観が向上するとともに、シート１８の貼り付け工数が減り、コストが低廉になる。
【００４７】
＜変形例２＞
変形例２では、境界線２４が、曲線からなる線、複数の直線からなる線、曲線と直線との組み合わせからなる線となるように、第１領域２０および第２領域２２が設定されている。
【００４８】
図７は、第２の実施の形態の変形例２における表示装置１０の例（例１）を示す正面図である。図７に示すように、開口部１４ａ、１４ｂおよび蓋部１６ａ、１６ｂは、表示パネル１２の下側部分のハウジング１４であって、長手方向（左右方向）の中央部分に配置されている。そして、境界線２４は、蓋部１６ａ、１６ｂの一辺（蓋部１６ａ、１６ｂの上側の一辺）と接するように左右方向に延びた線４０ａと、線４０ａの左端から表示パネル１２と反対側の方向（下方向）に向かって斜め左方向に延びた線４０ｂと、線４０ａの右端から表示パネル１２と反対側の方向（下方向）に向かって斜め右方向に延びた線４０ｃとから構成される。これにより、第１領域２０および第２領域２２の形状も変わり、シート１８の形状も変わる。
【００４９】
なお、図７に示す例では、境界線２４の線４０ａは、蓋部１６ａ、１６ｂの一辺と接するようにしたが、変形例１のように、蓋部１６ａ、１６ｂは線４０ａと接しなくてもよい。また、図７に示す例では、開口部１４ａ、１４ｂおよび蓋部１６ａ、１６ｂを、表示装置１０の長手方向の中央部分に配置したが、左側部分に配置してもよく、右側部分に配置してもよい。この場合も、蓋部１６ａ、１６ｂの配置位置に応じて、境界線２４の形状を任意に変えてもよい。
【００５０】
図８は、第２の実施の形態の変形例２における表示装置１０の例（例２）を示す正面図である。図８に示すように、境界線２４は、蓋部１６ａ、１６ｂの一辺（蓋部１６ａ、１６ｂの上側の一辺）と接するように左右方向に延びた線４２ａと、線４２ａの左端から蓋部１６ａの左側の一辺の一部と接するように下方向に延びた線４２ｂと、線４２ｂの下端から左方向に延びた線４２ｃとから構成される。これにより、第１領域２０および第２領域２２の形状も変わり、シート１８の形状も変わる。
【００５１】
なお、図８に示す例では、開口部１４ａ、１４ｂおよび蓋部１６ａ、１６ｂを、表示装置１０の長手方向の右側部分に配置したが、中央部分に配置してもよく、左側部分に配置してもよい。この場合も、蓋部１６ａ、１６ｂの配置位置に応じて、境界線２４の形状を任意に変えてもよい。
【００５２】
このように、第１領域２０と第２領域２２とが表示パネル１２の短手方向に沿って区分けされ、且つ、第２領域２２は、表示パネル１２の長手方向に関して、ハウジング１４の全範囲を含む領域であればよい。変形例２においても、表示装置１０の表示面側の美観が向上するとともに、シート１８の貼り付け工数が減り、コストが低廉になる。
【００５３】
なお、境界線２４を、曲線からなる線、曲線と直線との組み合わせからなる線にする場合についても同様にして行うことができる。
【００５４】
＜変形例３＞
上記第２の実施の形態および変形例１、２では、開口部１４ａ、１４ｂおよび蓋部１６ａ、１６ｂを、表示装置１０の短手方向の下端部側（つまり、表示パネル１２の下側部分のハウジング１４）に設けたが、表示装置１０の短手方向の上端部側（つまり、表示パネル１２の上側部分のハウジング１４）に設けてもよい。
【００５５】
〔実施の形態から得られる技術的思想〕
上記各実施の形態および変形例から把握しうる技術的思想について、以下に記載する。
【００５６】
表示装置（１０）は、長方形状の表示パネル（１２）と、表示パネル（１２）の外周部分および背面を覆うハウジング（１４）とを有する。表示装置（１０）は、表示パネル（１２）およびハウジング（１４）の表示面側に貼り付けられるシート（１８）と、ハウジング（１４）内に設けられたインターフェース端子へのアクセスを可能にするために、ハウジング（１４）の表示面側の形成された開口部（１４ａ、１４ｂ）と、開口部（１４ａ、１４ｂ）を覆う蓋部（１６ａ、１６ｂ）と、を備える。表示パネル（１２）およびハウジング（１４）の表示面側は、表示パネル（１２）の長手方向または短手方向に沿って、シート（１８）が貼り付けられる第１領域（２０）と、シート（１８）が貼り付けられない第２領域（２２）とに区分けされている。第１領域（２０）は、表示パネル（１２）とハウジング（１４）の一部とを含む領域である。第２領域（２２）に、開口部（１４ａ、１４ｂ）が設けられている。
【００５７】
これにより、表示装置（１０）の表示面側の美観が向上するとともに、シート（１８）の貼り付け工数が減り、コストが低廉になる。
【００５８】
第１領域（２０）と第２領域（２２）との境界線（２４）に、開口部（１４ａ、１４ｂ）に取り付けられた蓋部（１６ａ、１６ｂ）の一辺が接するように、第１領域（２０）および第２領域（２２）が設定されていてもよい。これにより、表示装置（１０）の表示面側の美観がさらに向上する。
【００５９】
第１領域（２０）と第２領域（２２）との境界線（２４）は、直線状に延びていてもよい。これにより、表示装置（１０）の表示面側の美観がさらに向上する。
【００６０】
シート（１８）のうち、表示パネル（１２）に貼り付けられる領域は透明であり、ハウジング（１４）に貼り付けられる領域はハウジング（１４）の色とは異なる色が着色されていてもよい。これにより、表示装置（１０）の表示面側の美観がさらに向上する。
【００６１】
シート（１８）の質感は、ハウジング（１４）の質感とは異なっていてもよい。これにより、表示装置（１０）の表示面側の美観がさらに向上する。
【符号の説明】
【００６２】
１０…表示装置                          １２…表示パネル
１４…ハウジング                        １４ａ、１４ｂ…開口部
１６ａ、１６ｂ…蓋部                    １８…シート
２０…第１領域                          ２２…第２領域
２４…境界線
【図１】
2019020634.tif 000003
【図２】
2019020634.tif 000004
【図３】
2019020634.tif 000005
【図４】
2019020634.tif 000006
【図５】
2019020634.tif 000007
【図６】
2019020634.tif 000008
【図７】
2019020634.tif 000009
【図８】
2019020634.tif 000010
【手続補正書】
【提出日】平成30年10月4日(2018.10.4)
【手続補正１】
【補正対象書類名】明細書
【補正対象項目名】０００６
【補正方法】変更
【補正の内容】
【０００６】
本発明の態様は、長方形状の表示パネルと、前記表示パネルの外周部分および背面を覆うハウジングとを有する表示装置であって、前記表示パネルおよび前記ハウジングの表示面側に貼り付けられるシートと、前記ハウジング内に設けられたインターフェース端子へのアクセスを可能にするために、前記ハウジングの表示面側に形成された開口部と、前記開口部を覆う蓋部と、を備え、前記表示パネルおよび前記ハウジングの表示面側は、前記表示パネルの長手方向または短手方向に沿って、前記シートが貼り付けられる第１領域と、前記シートが貼り付けられない第２領域とに区分けされ、前記第１領域は、前記表示パネルと前記ハウジングの一部とを含む領域であり、前記第２領域に、前記開口部が設けられている。
【手続補正２】
【補正対象書類名】特許請求の範囲
【補正対象項目名】全文
【補正方法】変更
【補正の内容】
【特許請求の範囲】
【請求項１】
長方形状の表示パネルと、前記表示パネルの外周部分および背面を覆うハウジングとを有する表示装置であって、
前記表示パネルおよび前記ハウジングの表示面側に貼り付けられるシートと、
前記ハウジング内に設けられたインターフェース端子へのアクセスを可能にするために、前記ハウジングの表示面側に形成された開口部と、
前記開口部を覆う蓋部と、
を備え、
前記表示パネルおよび前記ハウジングの表示面側は、前記表示パネルの長手方向または短手方向に沿って、前記シートが貼り付けられる第１領域と、前記シートが貼り付けられない第２領域とに区分けされ、
前記第１領域は、前記表示パネルと前記ハウジングの一部とを含む領域であり、
前記第２領域に、前記開口部が設けられている、表示装置。
【請求項２】
請求項１に記載の表示装置であって、
前記第１領域と前記第２領域との境界線に、前記開口部に取り付けられた前記蓋部の一辺が接するように、前記第１領域および前記第２領域が設定されている、表示装置。
【請求項３】
請求項１または２に記載の表示装置であって、
前記第１領域と前記第２領域との境界線は、直線状に延びている、表示装置。
【請求項４】
請求項１〜３のいずれか１項に記載の表示装置であって、
前記シートのうち、前記表示パネルに貼り付けられる領域は透明であり、前記ハウジングに貼り付けられる領域は前記ハウジングの色とは異なる色が着色されている、表示装置。
【請求項５】
請求項１〜４のいずれか１項に記載の表示装置であって、
前記シートの質感は、前記ハウジングの質感とは異なる、表示装置。